(57)【要約】【課題】付属部品の大きさに関わらず緩衝体を共通使用でき、コストを低減できる電気掃除機の梱包装置を提供することを課題とする。【解決手段】連結式延長管もしくは伸縮式延長管のいずれかに応じて、下緩衝体６の切込線の加工形状を変更することにより、下緩衝体６の保持部である突片１１または第２突片２４の形状を選択的に変更して突片１１と第２突片２４との長さを変更し、梱包箱の大きさに関わらず同一寸法の下緩衝体６を共通使用可能とする。【選択図】　　　　　図４
2004115062.tif 000002
【特許請求の範囲】
【請求項１】
梱包箱と、該梱包箱に緩衝体を介して収納される掃除機本体、該掃除機本体に着脱自在に接続されるホースと、該ホースに着脱自在に接続される連結式延長管もしくは伸縮式延長管と、前記ホースまたは延長管に選択的に接続される床用吸込具とを備え、前記緩衝体を段ボール材の折曲加工により構成するものにおいて、前記緩衝体は、略矩形状に折り曲げられて前記掃除機本体を囲繞する保護面と、該緩衝体にて前記掃除機本体を保護して梱包箱に配設した際に、前記梱包箱内面に当接して緩衝体を固定する保持部とを形成するとともに、該保持部の寸法を、前記連結式延長管もしくは伸縮式延長管のいずれかの寸法に応じて変更可能としたことを特徴とする電気掃除機の梱包装置。
【請求項２】
前記保持部は、前記保護面に形成される切込部により折曲形成されるとともに、該切込部の形状を変更することにより、前記連結式延長管もしくは伸縮式延長管のいずれかの寸法に応じて保持部の寸法を変更可能としたことを特徴とする請求項１に記載の電気掃除機の梱包装置。
【請求項３】
前記保持部は、前記保護面の両側に形成されることを特徴とする請求項１または請求項２に記載の電気掃除機の梱包装置。
【請求項４】
前記保持部の端部形状は、前記梱包箱内面に一致する略垂直形状としたことを特徴とする請求項１乃至請求項３のいずれかに記載の電気掃除機の梱包装置。
【発明の詳細な説明】
【０００１】
【発明の属する技術分野】
本発明は、電気掃除機の梱包装置に関する。
【０００２】
【従来の技術】
従来、電気掃除機の梱包装置として、梱包箱に、段ボール材製の緩衝体を介して掃除機本体及びホース、延長管等の付属部品を収納しているものがある（例えば、特許文献１参照）。
【０００３】
また、従来、電気掃除機としては、掃除機本体にホースを接続するとともに、このホースに二本の延長管を連結するものが主流であったが、近年、掃除機の操作性を向上させるため、使用者の身長に応じて延長管の長さを調節可能な伸縮式の延長管を接続するタイプのものが商品化されている。
【０００４】
したがって、長さの異なる延長管を有する電気掃除機の梱包装置においては、延長管のタイプに応じて緩衝体の大きさも変える必要があるが、緩衝体を大きくすると使用材料が増大するとともに、複数の緩衝体を準備するためにコストがかかる問題がある。
【０００５】
【特許文献１】
特開平７−１７２４８４号公報
【０００６】
【発明が解決しようとする課題】
本発明は、上記欠点に鑑みなされたもので、付属部品の大きさに関わらず緩衝体を共通使用でき、コストを低減できる電気掃除機の梱包装置を提供することを課題とする。
【０００７】
【課題を解決するための手段】
本発明は、梱包箱と、該梱包箱に緩衝体を介して収納される掃除機本体、該掃除機本体に着脱自在に接続されるホースと、該ホースに着脱自在に接続される連結式延長管もしくは伸縮式延長管と、前記ホースまたは延長管に選択的に接続される床用吸込具とを備え、前記緩衝体を段ボール材の折曲加工により構成するものにおいて、前記緩衝体は、略矩形状に折り曲げられて前記掃除機本体を囲繞する保護面と、該緩衝体にて前記掃除機本体を保護して梱包箱に配設した際に、前記梱包箱内面に当接して緩衝体を固定する保持部とを形成するとともに、該保持部の寸法を、前記連結式延長管もしくは伸縮式延長管のいずれかの寸法に応じて変更可能としたことを特徴とする。
【０００８】
前記保持部は、前記保護面に形成される切込部により折曲形成するとともに、該切込部の形状を変更することにより、前記連結式延長管もしくは伸縮式延長管のいずれかの寸法に応じて保持部の寸法を変更可能とすることが望ましい。
【０００９】
また、前記保持部は、前記保護面の両側に形成されることが好ましい。
【００１０】
さらに、前記保持部の端部形状は、前記梱包箱内面に一致する略垂直形状とすることが望ましい。
【００１１】
【発明の実施の形態】
本発明の実施の形態を図面に基づいて説明する。
【００１２】
まず、図１及び図２に基づき、二本の延長管を接続するタイプの掃除機の梱包装置について説明する。
【００１３】
１は段ボール材製の梱包箱で、後述する下緩衝体６及び上緩衝体１２を介して掃除機本体２、床用吸込具３、ホース４、２本の延長管５、５を収納するようになっている。
【００１４】
６は段ボール材製の長方形の板状部材からなる下緩衝体で、図２に示すごとく、該下緩衝体６には、その短手方向の略中央部に、短手方向の端部と平行な折曲線７ａ、７ｂ、７ｃ、７ｄが４箇所（２対）形成されており、該折曲線７ａ〜７ｄにて折り曲げられて略矩形状に形成されるとともに、該一対の折曲線７ａ、７ｂ間、及び７ｃ、７ｄ間に形成される面を、前記掃除機本体２の保護面８としている。
【００１５】
９は前記一対の折曲線７ａ、７ｂの端部間、及び７ｃ、７ｄの端部間に形成された切込線で、該切込線９の略中央部から下緩衝体６の長手方向の端部にわたって、下緩衝体６の短手方向の端部と平行に切込部１０が形成され、前記折曲線７ａ〜７ｄにて下緩衝体６を折り曲げることにより、前記掃除機本体２の前後面を保護する一対の相対向する保護面８、８が形成されるとともに、前記掃除機本体２の保護面８から梱包箱１内面に向かって突出する突片１１が形成されるようになっており、該突片１１、１１が前記梱包箱１の内面に当接することにより、前記下緩衝体６が固定されるようになっている。
【００１６】
また、前記一方の保護面８と梱包箱１との間に形成される空間には、前記床用吸込具３が収納されるようになっている。
【００１７】
１２は前記下緩衝体６の保護面８、８間に掃除機本体２を収納させた状態で、下緩衝体６上に載置される段ボール材製の上緩衝体で、前記梱包箱１の開口面積にほぼ一致し、前記ホース４及び延長管５、５を載置する載置面１３と、該載置面１３の両側に折曲形成されて前記梱包箱１の相対向する側面に当接する当接面１４、１４とから構成されている。
【００１８】
而して、梱包する際には、下緩衝体６の折曲線７ａ〜７ｄを折り曲げて矩形状に形成し、下緩衝体６を梱包箱１内に挿入する。
【００１９】
この時、折曲線７ａ、７ｂの端部間、及び７ｃ、７ｄの端部間を結ぶ切込線９、及び切込線９から下緩衝体６の長手方向の端部に向かう切込部１０とが形成されていることにより、折曲線７ａ、７ｂ間、及び７ｃ、７ｄ間に形成される保持面８の両端部から梱包箱１内側に向かって各々突片１１、１１が形成され、この突片１１が梱包箱１内側に当接することにより、下緩衝体６が固定される。
【００２０】
下緩衝体６は、図２に示すごとく、下緩衝体６の中央部側の２本の折曲線７ｂ、７ｃから各切込部１０までの寸法を各々Ｌ１、Ｌ３、下緩衝体６の中央部側の２本の折曲線７ｂ、７ｃ間の寸法をＬ２として説明すると、下緩衝体６を折り曲げ形成した状態において、Ｌ１＋Ｌ２＋Ｌ３の寸法が、１本の延長管５の長さ寸法と略同一寸法になるよう形成されている。
【００２１】
そして、保持面８、８間に掃除機本体２を収納するとともに、一方の保持面８（本実施の形態では掃除機本体２後面側の保持面）と梱包箱１との間の空間に床用吸込具３を収納するとともに、下緩衝体６上に上緩衝体１２を載置する。
【００２２】
この時、上緩衝体１２の載置面１３により掃除機本体２上面を保護するとともに、上緩衝体１２の当接面１４が梱包箱１側面に当接することにより、上緩衝体１２が固定される。
【００２３】
さらに、上緩衝体１２上に延長管５、５、及びホース４を載置収納して梱包が完了する。
【００２４】
次に、上記下緩衝体６を利用して、伸縮式の延長管を有する電気掃除機の梱包装置の下緩衝体を構成する場合を説明する。尚、この下緩衝体については、上記下緩衝体６と同一部品を使用するため、同一部分については同一符号を附して説明を省略する。
【００２５】
２１は段ボール材製の梱包箱で、後述する下緩衝体６及び上緩衝体２５を介して掃除機本体２、床用吸込具３、ホース４、伸縮式の延長管２２を収納するようになっている。尚、伸縮式の延長管２２は、上記実施の形態のごとく、連結式の延長管５よりも長さ寸法が長くなっており、前記梱包箱２１は上記第１の実施の形態における梱包箱１よりも大きい寸法に形成されている。
【００２６】
６は段ボール材製の長方形の板状部材からなる下緩衝体で、図４に示すごとく、該下緩衝体６に形成される一対の保護面８、８のうち、一方の保護面８を構成する切込線９の下緩衝体６中央部よりの位置から下緩衝体６の長手方向の端部に向かって、鉤形状の切込線２３を形成している。
【００２７】
これにより、前記下緩衝体６を折曲線７ａ〜７ｄにて折り曲げ形成することにより、前記掃除機本体２の前後面を保護する一対の相対向する保護面８、８が形成されるとともに、前記掃除機本体２の一方の保護面８から梱包箱２１内面に向かって突出する突片１１が形成されるとともに、他方の保護面８から梱包箱２１内面に向かって突出する第２突片２４が形成されるようになっており、該突片１１、及び第２突片２４が前記梱包箱２１の内面に当接することにより、前記下緩衝体６が固定されるようになっている。
【００２８】
前記切込部２３は、その切込線９側の基点を、切込線９の下緩衝体６中央部よりに設定するとともに、切込部２３を鉤形状に形成したことにより、下緩衝体６を折曲線７ａ〜７ｄにて折り曲げ形成した際に、第２突片２４の長さ寸法は、突片１１よりも長く形成されている。
【００２９】
２５は前記下緩衝体６の保護面８、８間に掃除機本体２を収納させた状態で、下緩衝体６上に載置される段ボール材製の上緩衝体で、前記梱包箱２１の開口面積にほぼ一致し、前記ホース４及び伸縮式延長管２２載置する載置面２６と、該載置面２６の両側に折曲形成されて前記梱包箱２１の相対向する側面に当接する当接面２７、２７とから構成されている。
【００３０】
而して、梱包する際には、下緩衝体６の折曲線７ａ〜７ｄを折り曲げて矩形状に形成し、下緩衝体６を梱包箱２１内に挿入する。
【００３１】
この時、折曲線７ａ及び７ｂの端部間、７ｃ及び７ｄの端部間を結ぶ切込線９、及び切込線９から下緩衝体６の長手方向の端部に向かって各々切込部１０、２３が形成されていることにより、折曲線７ａ、７ｂ間、及び７ｃ、７ｄ間に形成される保持面８の両端部から梱包箱２１内側に向かって各々突片１１、第２突片２４が形成され、この突片１１及び第２突片２４が梱包箱２１内側に当接することにより、下緩衝体６が固定される。
【００３２】
第２突片２４を構成する切込部２３は、その切込線９側の基点を、切込線９の下緩衝体６中央部よりに設定するとともに、切込部２３を鉤形状に形成したことにより、下緩衝体６を折曲線７ａ〜７ｄにて折り曲げ形成した際に、第２突片２４の長さ寸法は突片１１よりも長く形成されている。
【００３３】
即ち、下緩衝体６は、図４に示すごとく、下緩衝体６の一方の保護面８を構成する折曲線７ａ〜７ｄのうち、下緩衝体６中央部側の折曲線７ｂ、７ｃから一方の切込部１０の寸法をＬ１、下緩衝体６の中央部側の２本の折曲線７ｂ、７ｃ間の寸法をＬ２、下緩衝体６の他方の保護面８を構成する折曲線７ｃ、７ｄのうち、下緩衝体６中央部側の折曲線７ｃから切込部２３にて構成される第２突片２４の端部までの寸法をＬ４として説明すると、下緩衝体６を折り曲げ形成した状態において、Ｌ１＋Ｌ２＋Ｌ４の寸法が、伸縮式延長管２２の長さ寸法と略同一寸法になるよう形成されている。
【００３４】
そして、保持面８、８間に掃除機本体２を収納するとともに、一方の保持面８（本実施の形態では掃除機本体２後面側の保持面）と梱包箱２１との間の空間に床用吸込具３を収納するとともに、下緩衝体６上に上緩衝体２５を載置する。
【００３５】
この時、上緩衝体２５の載置面２６により掃除機本体２上面を保護するとともに、上緩衝体２５の当接面２７が梱包箱２１側面に当接することにより、上緩衝体２５が固定され、さらに、上緩衝体２５上に延長管２２及びホース４を載置収納して梱包が完了する。
【００３６】
上記構成によると、同一寸法の下緩衝体６を共通使用して、切込線の形状を変更することにより、下緩衝体６の組み立て状態における寸法を変更することができるため、使用材料を増やすことなく複数機種の電気掃除機の梱包装置を構成することができ、コストを抑えることができる。
【００３７】
また、突片１０及び第２突片２４の端部は、梱包箱１、２１内側面に一致する垂直形状に形成されているため、突片１０及び第２突片２４の端部は、梱包箱１、２１内側面とが線接触して確実に固定され、より確実に緩衝体を梱包箱内に固定でき、梱包物の傷つきを確実に防止できる。
【００３８】
【発明の効果】
本発明の請求項１によると、付属部品である延長管の寸法に応じて、同一の緩衝体の保持部形状を変更することにより共通使用が可能となり、使用材料を増やすことなく複数機種の電気掃除機の梱包装置を構成することができ、コストを抑えることができる。
【００３９】
また、本発明の請求項２によると、付属部品である延長管の寸法に応じて、同一の緩衝体の保持部形状を変更することにより共通使用が可能となり、使用材料を増やすことなく複数機種の電気掃除機の梱包装置を構成することができ、コストを抑えることができるとともに、保護面の切込部形状を変更することにより保持部の長さ寸法を変更できるため、簡単な加工で緩衝体を共通使用でき、よりコストを抑えることができる。
【００４０】
さらに、本発明の請求項３によると、付属部品である延長管の寸法に応じて、同一の緩衝体の保持部形状を変更することにより共通使用が可能となり、使用材料を増やすことなく複数機種の電気掃除機の梱包装置を構成することができ、コストを抑えることができるとともに、保持部を保護面の両側に形成することにより、より確実に緩衝体を梱包箱内に固定でき、梱包物の傷つきを確実に防止できる。
【００４１】
また、本発明の請求項４によると、付属部品である延長管の寸法に応じて、同一の緩衝体の保持部形状を変更することにより共通使用が可能となり、使用材料を増やすことなく複数機種の電気掃除機の梱包装置を構成することができ、コストを抑えることができるとともに、保持部の端面は、梱包箱の内面に一致する垂直形状としたことにより、保持部と梱包箱内面とが線接触して確実に保持されるため、さらに確実に緩衝体を梱包箱内に固定でき、梱包物の傷つきを確実に防止できる。
【図面の簡単な説明】
【図１】本発明の実施の形態を示す梱包装置（連結式延長管タイプ）の分解斜視図である。
【図２】同下緩衝体の平面図である。
【図３】同梱包装置（伸縮式延長管タイプ）の分解斜視図である。
【図４】同下緩衝体の平面図である。
【符号の説明】
１　　　　　梱包箱
２　　　　　掃除機本体
３　　　　　床用吸込具
４　　　　　ホース
５　　　　　連結式延長管
６　　　　　下緩衝体（緩衝体）
８　　　　　保護面
１０　　　　切込部
１１　　　　突片（保持部）
２１　　　　梱包箱
２２　　　　伸縮式延長管
２３　　　　切込部
２４　　　　第２突片（保持部）
【図１】
2004115062.tif 000003
【図２】
2004115062.tif 000004
【図３】
2004115062.tif 000005
【図４】
2004115062.tif 000006